(57)【特許請求の範囲】
【請求項１】
２次元の表示領域を有する波形表示器における波形の表示位置の調整を行うための波形表示位置調整方法であって、前記２次元表示領域が、Ｘ軸とＹ軸とを有し、前記方法が、
イ）連続的に調整可能な連続調整手段を使用することによって、前記２次元表示領域に対する波形入力値の２次元波形値空間のマッピングを連続的に調整するマッピング連続調整ステップであって、前記マッピングが、
ａ）前記表示器の前記Ｘ軸およびＹ軸を含む２次元表示領域に対応した、ＸアドレスとＹアドレスによって指定されるメモリ・アドレス空間を定めるステップと、
ｂ）前記波形入力信号から、該入力信号が表す波形の波形値情報と該波形値情報に関係する時間情報とを発生するステップと、
ｃ）前記波形値情報から、前記メモリ・アドレス空間内のアドレスを指定するためのＹアドレスを発生するステップと、
ｄ）前記時間情報から、前記メモリ・アドレス空間内の前記アドレスを指定するためのＸアドレスを発生するステップと、
を含む、前記のマッピング連続調整ステップと、
ロ）前記連続調整手段に隣接して設けたスイッチ手段を使用することによって、前記マッピングを基準状態にリセットするマッピング・リセット・ステップと、
を備え、
前記マッピング連続調整ステップおよび前記マッピング・リセット・ステップによる前記マッピングの調整は、
マッピング調整量に対応するＸアドレス変更量およびＹアドレス変更量とを生成するステップと、
前記Ｘアドレス変更量および前記Ｙアドレス変更量を、それぞれ、前記Ｘアドレスと前記Ｙアドレスに加算するステップと、
を含み、
前記マッピング・リセット・ステップは、
前記Ｘ軸に対する前記マッピング・リセット手段が作動されたとき、前記Ｘアドレス変更量を、前記２次元表示領域の前記Ｘ軸基準位置に対応する所定のＸアドレス基準値に等しくし、
前記Ｙ軸に対する前記マッピング・リセット手段が作動されたとき、前記Ｙアドレス変更量を、前記２次元表示領域の前記Ｙ軸基準位置に対応する所定のＹアドレス基準値に等しくすること、
を含む、波形表示位置調整方法。
【請求項２】
請求項１記載の方法において、
前記マッピングの調整は、前記マッピングにおける前記２次元表示領域に対する前記２次元波形値空間の相対的位置の調整であること、
を特徴とする波形表示位置調整方法。
【請求項３】
請求項１記載の方法において、
前記基準状態は、
前記Ｘ軸に関するＸ軸基準状態であって、該状態では、前記２次元波形値空間内の基準点が前記２次元表示領域のＸ軸基準位置に位置する、前記のＸ軸基準状態と、
前記Ｙ軸に関するＹ軸基準状態であって、該状態では、前記２次元波形値空間内の前記基準点が前記２次元表示領域のＹ軸基準位置に位置する、前記のＹ軸基準状態と、
を有すること、
を特徴とする波形表示位置調整方法。
【請求項４】
請求項３記載の方法において、
前記２次元波形値空間の基準点は、Ｘ軸の値およびＹ軸の値の両方がゼロの点であること、
を特徴とする波形表示位置調整方法。
【請求項５】
請求項３記載の方法において、
前記マッピングの前記基準状態へのリセットは、前記Ｘ軸基準状態と前記Ｙ軸基準状態の一方または両方に対して実行可能であること、
を特徴とする波形表示位置調整方法。
【請求項６】
２次元表示領域を有する波形表示器における波形入力信号の波形の表示位置の調整を行う波形表示位置調整装置であって、前記２次元表示領域が、Ｘ軸とＹ軸とを有し、前記装置が、
イ）前記波形表示器の前記２次元表示領域に対し、前記波形入力信号から得る波形入力値のための２次元波形値空間をマッピングするマッピング手段であって、  前記マッピング手段が、
ａ）前記表示器の前記Ｘ軸およびＹ軸を含む２次元表示領域に対応したメモリ・アドレス空間を有するフレーム・メモリ手段であって、Ｘアドレス入力と、Ｙアドレス入力とを有する、前記のフレーム・メモリ手段と、
ｂ）前記波形入力信号を受けるように接続しており、該波形入力信号から、該入力信号が表す波形の波形値情報と該波形値情報に関係する時間情報とを発生する信号処理手段と、
ｃ）前記波形値情報から、前記メモリ・アドレス空間のためのＹアドレスを発生するＹアドレス発生手段であって、該Ｙアドレスは前記フレーム・メモリ手段の前記Ｙアドレス入力に供給される、前記のＹアドレス発生手段と、
ｄ）前記時間情報から、前記メモリ・アドレス空間のためのＸアドレスを発生するＸアドレス発生手段であって、前記Ｘアドレスは前記フレーム・メモリ手段の前記Ｘアドレス入力に供給される、前記のＸアドレス発生手段と、
を含む、前記のマッピング手段と、
ロ）該マッピング手段に結合しており、前記マッピングを調整するマッピング調整手段と、
を備え、
前記マッピング調整手段が、
ａ）前記マッピング手段に結合しており、前記マッピングを連続的に調整するマッピング連続調整手段と、
ｂ）前記マッピング手段に結合しておりかつ前記連続調整手段に隣接して配置したマッピング・リセット手段であって、前記マッピングを所定の基準状態にリセットする、前記のマッピング・リセット手段と、
を含み、
前記マッピング調整手段は、さらに、
前記マッピング連続調整手段と前記マッピング・リセット手段に結合しており、マッピング調整量に対応するＸアドレス変更量およびＹアドレス変更量とを生成するアドレス変更量生成手段と、
前記Ｘアドレス変更量および前記Ｙアドレス変更量を、それぞれ、前記Ｘアドレス発生手段が発生する前記Ｘアドレスと前記Ｙアドレス発生手段が発生する前記Ｙアドレスに加算する加算手段と、
を含み、
前記アドレス変更量生成手段は、
前記Ｘ軸に対する前記マッピング・リセット手段が作動されたとき、前記Ｘアドレス変更量を、前記２次元表示領域の前記Ｘ軸基準位置に対応する所定のＸアドレス基準値に等しくし、
前記Ｙ軸に対する前記マッピング・リセット手段が作動されたとき、前記Ｙアドレス変更量を、前記２次元表示領域の前記Ｙ軸基準位置に対応する所定のＹアドレス基準値に等しくする、
波形表示位置調整装置。
【請求項７】
請求項６記載の装置において、
前記マッピング連続調整手段と前記マッピング・リセット手段とは、
前記Ｘ軸およびＹ軸の一方または双方の各々に関して設けたロータリエンコーダおよびリセット・スイッチの組、
を含むこと、を特徴とする波形表示位置調整装置。
【請求項８】
請求項６から７のいずれかに記載の波形表示位置調整装置を備えた表示装置。
【発明の詳細な説明】
【０００１】
【発明の属する技術分野】
本発明は、ＣＲＴや液晶表示器（ＬＣＤ）のような波形表示器における表示波形の位置を調整するための方法および装置に関する
【０００２】
【従来の技術】
従来、ビデオ信号の波形を表示するウェーブフォーム・モニタ等の波形表示装置において、表示器のスクリーンすなわち２次元の波形表示領域には例えば縦軸および横軸に目盛りが設けられており、そしてこの目盛りを基準として、表示波形の振幅や時間等を観測するようになっている。このようなモニタにおいては、波形観測のため、スクリーン上において表示波形を移動させるためあるいは位置調整するため、垂直（Ｖ）ポジション調整つまみおよび水平（Ｈ）ポジション調整つまみが設けられている。これらポジション調整つまみは、例えばロータリエンコーダから構成されていて、つまみを回転させた量に対応する距離だけスクリーン上で表示波形を移動させることにより、波形表示位置の調整を行うことができる。
【０００３】
しかし、例えば表示波形を拡大した時に、上下左右に表示位置をポジション調整つまみで可変し、任意の部分を見やすい位置に合わせることがある。このような場合、この拡大表示を解除して基準となる位置に戻す際、微妙な位置合わせに苦労することが多い。すなわち、調整つまみによる位置調整の分解能は、微調整が行えるようにするために高く設定されているため、比較的離れた目標位置に正確に位置合わせするには、つまみの回転量を多くしてして波形を大幅に移動させ、そしてさらに、目標位置近くでこの位置に正確に位置合わせするために微調整が必要となるからである。このため、表示波形の位置合わせに時間と手間がかかり、迅速な測定の観点から問題があった。
【０００４】
この点に関し、従来、表示波形の位置を垂直方向にリセットすることができるウェーブフォーム・モニタがあったが、この装置では、その表示波形を基準状態、すなわち波形値がゼロの波形値部分が垂直軸のゼロの目盛りに一致する状態にリセットするために、メニューを選択し、そしてそのメニューからリセット・ファンクションを選択することが必要であった。
【０００５】
【発明が解決しようとする課題】
したがって、本発明の目的は、波形表示器における表示波形の位置調整をより簡便にしかも迅速に行える、波形表示位置調整の方法および装置を提供することである。
【０００６】
本発明の別の目的は、表示波形位置調整の操作性を向上させた、波形表示位置調整の方法および装置を提供することである。
本発明のさらに別の目的は、上記のような波形表示位置調整装置を備えた表示装置を提供することである。
【０００７】
【課題を解決するための手段】
上記目的を達成するため、本発明による、２次元の表示領域を有する波形表示器における波形の表示位置の調整を行うための波形表示位置調整方法は、イ）連続的に調整可能な連続調整手段を使用することによって、前記２次元表示領域に対する波形入力値の２次元波形値空間のマッピングを連続的に調整するマッピング連続調整ステップと、ロ）前記連続調整手段に隣接して設けたスイッチ手段を使用することによって、前記マッピングを基準状態にリセットするマッピング・リセット・ステップと、から成る。
【０００８】
また、本発明による、２次元表示領域を有する波形表示器における波形入力信号の波形の表示位置の調整を行う波形表示位置調整装置は、イ）前記波形表示器の前記２次元表示領域に対し、前記波形入力信号から得る波形入力値のための２次元波形値空間をマッピングするマッピング手段と、ロ）該マッピング手段に結合しており、前記マッピングを調整するマッピング調整手段と、を備え、前記マッピング調整手段が、ａ）前記マッピング手段に結合しており、前記マッピングを連続的に調整するマッピング連続調整手段と、ｂ）前記マッピング手段に結合しておりかつ前記連続調整手段に隣接して配置したマッピング・リセット手段であって、前記マッピングを所定の基準状態にリセットする、前記のマッピング・リセット手段と、を含むこと、を特徴とする。
【０００９】
本発明によれば、前記マッピングの調整は、前記マッピングにおける前記２次元表示領域に対する前記２次元波形値空間の相対的位置の調整とすることができる。また、前記２次元表示領域は、Ｘ軸とＹ軸とを有し、前記基準状態は、前記Ｘ軸に関するＸ軸基準状態であって、該状態では、前記２次元波形値空間内の基準点が前記２次元表示領域のＸ軸基準位置に位置する、前記のＸ軸基準状態と、前記Ｙ軸に関するＹ軸基準状態であって、該状態では、前記２次元波形値空間内の前記基準点が前記２次元表示領域のＹ軸基準位置に位置する、前記のＹ軸基準状態と、を有するようにできる。さらに、前記２次元波形値空間の基準点は、Ｘ軸の値およびＹ軸の値の両方がゼロの点とすることができる。また、前記マッピングの前記基準状態へのリセットは、前記Ｘ軸基準状態と前記Ｙ軸基準状態の一方または両方に対して実行可能とすることができる。
【００１０】
本発明による波形表示位置調整方法においては、前記マッピングは、前記表示器の前記Ｘ軸およびＹ軸を含む２次元表示領域に対応した、ＸアドレスとＹアドレスによって指定されるメモリ・アドレス空間を定めるステップと、前記波形入力信号から、該入力信号が表す波形の波形値情報と該波形値情報に関係する時間情報とを発生するステップと、前記波形値情報から、前記メモリ・アドレス空間内のアドレスを指定するためのＹアドレスを発生するステップと、前記時間情報から、前記メモリ・アドレス空間内の前記アドレスを指定するためのＸアドレスを発生するステップと、を含むようにできる。また、前記マッピング連続調整ステップおよび前記マッピング・リセット・ステップによる前記マッピングの調整は、マッピング調整量に対応するＸアドレス変更量およびＹアドレス変更量とを生成するステップと、前記Ｘアドレス変更量および前記Ｙアドレス変更量を、それぞれ、前記Ｘアドレスと前記Ｙアドレスに加算するステップと、を含むようにできる。さらに、前記マッピング・リセット・ステップは、前記Ｘ軸に対する前記マッピング・リセット手段が作動されたとき、前記Ｘアドレス変更量を、前記２次元表示領域の前記Ｘ軸基準位置に対応する所定のＸアドレス基準値に等しくし、前記Ｙ軸に対する前記マッピング・リセット手段が作動されたとき、前記Ｙアドレス変更量を、前記２次元表示領域の前記Ｙ軸基準位置に対応する所定のＹアドレス基準値に等しくすること、
を含むようにできる。
【００１１】
また、本発明による波形表示位置調整装置においては、前記マッピング連続調整手段と前記マッピング・リセット手段とは、前記Ｘ軸に関して設けたロータリエンコーダおよびリセット・スイッチの組としたり、さらにまた、前記Ｙ軸に関して設けたロータリエンコーダおよびリセット・スイッチの組を含むようにしたりできる。また、前記マッピング手段は、前記表示器の前記Ｘ軸およびＹ軸を含む２次元表示領域に対応したメモリ・アドレス空間を有するフレーム・メモリ手段であって、Ｘアドレス入力と、Ｙアドレス入力とを有する、前記のフレーム・メモリ手段と、前記波形入力信号を受けるように接続しており、該波形入力信号から、該入力信号が表す波形の波形値情報と該波形値情報に関係する時間情報とを発生する信号処理手段と、前記波形値情報から、前記メモリ・アドレス空間のためのＹアドレスを発生するＹアドレス発生手段であって、該Ｙアドレスは前記フレーム・メモリ手段の前記Ｙアドレス入力に供給される、前記のＹアドレス発生手段と、前記時間情報から、前記メモリ・アドレス空間のためのＸアドレスを発生するＸアドレス発生手段であって、前記Ｘアドレスは前記フレーム・メモリ手段の前記Ｘアドレス入力に供給される、前記のＸアドレス発生手段と、を含むようにできる。この場合、前記マッピング調整手段は、さらに、前記マッピング連続調整手段と前記マッピング・リセット手段に結合しており、マッピング調整量に対応するＸアドレス変更量およびＹアドレス変更量とを生成するアドレス変更量生成手段と、前記Ｘアドレス変更量および前記Ｙアドレス変更量を、それぞれ、前記Ｘアドレス発生手段が発生する前記Ｘアドレスと前記Ｙアドレス発生手段が発生する前記Ｙアドレスに加算する加算手段と、を含むようにできる。さらに、前記アドレス変更量生成手段は、前記Ｘ軸に対する前記マッピング・リセット手段が作動されたとき、前記Ｘアドレス変更量を、前記２次元表示領域の前記Ｘ軸基準位置に対応する所定のＸアドレス基準値に等しくし、前記Ｙ軸に対する前記マッピング・リセット手段が作動されたとき、前記Ｙアドレス変更量を、前記２次元表示領域の前記Ｙ軸基準位置に対応する所定のＹアドレス基準値に等しくするようにできる。
【００１２】
また、本発明は、上記の波形表示位置調整装置を備えた表示装置を提供する。
【００１３】
【発明の実施の形態】
以下、本発明の実施形態について図面を参照して詳細に説明する。
図１は、本発明を組み込んだ波形表示装置の１実施形態を示すブロック図である。この波形表示装置Ａは、図示のように、波形入力信号を受ける入力端子１と、波形表示を行うため２次元の表示領域ＤＳ（図２に示す）を提供するスクリーン３０を有する表示器３と、この波形入力信号から得られる２次元の波形値空間ＷＳ（図２に示す）を表示器の２次元表示領域ＤＳにマッピングするためのマッピング部５と、そしてマッピング調整部７とを備えている。詳しくは、表示器３は、例えばＣＲＴやＬＣＤのような表示器で構成することができ、そのスクリーン３０は、通常、横軸または水平軸であるＸ軸と、縦軸または垂直軸であるＹ軸との２つの互いに直交する軸を有している。マッピング部５は、入力端子１からの波形入力信号を受ける入力を有し、そして上記の２次元波形値空間内におけるその入力信号の位置に基づいてスクリーン３０における位置を示すための信号を生成し、そしてこの生成した信号を発生する出力を有している。この出力は、表示器３の入力に結合され、そして表示器３は、その生成した信号に応答して、スクリーン３０の２次元表示領域内の対応する位置において表示を行う。
【００１４】
ここで図２を参照すると、２次元波形値空間ＷＳとは、波形入力信号の波形値に関する仮想の２次元空間であって、例えば互いに独立するすなわち直交するパラメータをＸ軸とＹ軸にとったときにそれら直交するパラメータの取り得る値によって形成される空間である。パラメータとしては、例えば、波形値と、この波形値に関連する時間であり、そしてそれぞれ、Ｙ軸とＸ軸とする。また、２次元表示領域ＤＳは、２次元波形値空間に対応して、それらパラメータを同じくＹ軸とＸ軸とする表示空間であり、そして各軸の基準位置は、Ｙ軸のパラメータがゼロの位置、Ｘ軸のパラメータがゼロの位置としている。このとき、Ｙ軸の基準状態とは、２次元波形値空間ＷＳのＹ軸＝０の位置が２次元表示領域ＤＳのＹ軸＝０の基準位置に一致する位置する状態をいう。同様に、Ｘ軸の基準状態とは、２次元波形値空間ＷＳのＸ軸＝０の位置が２次元表示領域ＤＳのＸ軸＝０の基準位置に一致する位置する状態をいう。さらにここで、マッピングとは、１つの空間を他の空間または領域に写像するという意味で使用している。尚、２次元表示領域ＤＳに対する２次元波形値空間ＷＳの大きさの相対的な比率は、図示の都合上１倍としているが、但し、この倍率は、表示器における表示の倍率、２次元波形値空間ＷＳの大きさあるいは信号処理における増幅率等に依存するものである。
【００１５】
マッピング調整部７は、マッピング部５におけるマッピングに対する調整を行うため、マッピング部５に結合している。このマッピング調整部７は、マッピング調整入力部７０と、これの出力に接続した入力をもつマッピング調整量生成部７２とを備えている。詳細には、マッピング調整入力部７０は、好ましくは、マッピングの連続的な調整とマッピングの基準状態へのリセットあるいは初期化の機能を備えている。マッピング調整量生成部７２は、それらマッピング調整の入力量を表すマッピング調整量を生成し、そしてこれをマッピング部５対し供給する出力を有している。このマッピング調整量は、マッピング部５におけるマッピングを修正するために使用する。
【００１６】
次に、図２を参照して、波形表示装置Ａにおけるマッピングおよびマッピング調整の動作を説明する。先ず、Ｙ軸およびＸ軸の双方の基準状態におけるマッピング、すなわちマッピング調整部７における調整量がゼロのときには、マッピング部５は、２次元波形値空間ＷＳを２次元表示領域ＤＳに対し、空間ＷＳの基準点Ｏｗが領域ＤＳの原点Ｏｄに一致する相対的位置関係でマッピングする。このとき、マッピングは、Ｘ軸およびＹ軸の双方においてその基準状態にあり、この結果、空間ＷＳの領域ＤＳにおける表示位置は、表示位置ＤＰ０にある。この基準状態において、オペレータが空間ＷＳ（あるいはこの空間内に存在する波形）を表示位置ＤＰ０から図示の表示位置ＤＰ１に移動させたいとき、マッピング調整入力部７０を操作することによって、Ｘ軸およびＹ軸の双方に関しマッピングを連続的に調整し、これによって表示位置ＤＰ０から表示位置ＤＰ１に向かって徐々に移動させることができる。最終的には、空間ＷＳは表示位置ＤＰ１に位置することになる。このとき、空間ＷＳの基準点Ｏｗは領域ＤＳの原点Ｏｄからある距離ずれて表示されている。次に、オペレータが、空間ＷＳを表示位置ＤＰ１から表示位置ＤＰ０に戻したいとき、マッピングをＸ軸およびＹ軸の双方において基準状態にリセットするようにマッピング調整入力部７０を操作することにより、マッピング部５におけるマッピングに対しマッピング調整量を初期化(すなわち、Ｘ軸基準位置およびＹ軸基準位置に対応する調整量に調整)して瞬時に実現することができる。この結果、マッピング調整入力部７０における連続的な調整無しで、空間ＷＳは、表示位置ＤＰ１から表示位置ＤＰ０に瞬時に戻ることになる。
【００１７】
次に、図３を参照して、図１の波形表示装置Ａをより具体化した実施形態であるラスタスキャン方式のウェーブフォーム・モニタである波形表示装置Ｂについて説明する。この波形表示装置Ｂは、図１の波形表示装置Ａの要素と対応して、入力端子１Ｂと、表示器３Ｂと、入力信号の２次元の波形値空間ＷＳを２次元表示領域ＤＳにマッピングするためのマッピング部５Ｂと、そしてマッピング調整部７Ｂとを備えている。これら要素は、図１の対応する要素と同様の機能を有するため、図１の対応する要素の参照番号の後に記号“Ｂ”を付してある。尚、本実施形態はウェーブフォーム・モニタであるため、入力端子１Ｂは、入力信号として、シリアル・デジタルビデオ入力信号を受ける。また、表示器３Ｂは、例えばＬＣＤ表示器であって、１０２４×７６８ドットの２次元表示領域ＤＳを提供するスクリーン３０Ｂ（図４に示す）を有している。２次元表示領域ＤＳは、Ｘ軸の１例である水平（Ｈ）軸と、Ｙ軸の１例である垂直（Ｖ）軸との２つの互いに直交する軸を有している。
【００１８】
さらに詳しく説明すると、マッピング部５Ｂは、Ｈ軸／Ｖ軸パラメータ生成回路５０と、Ｙアドレス発生器５１およびＸアドレス発生器５２と、Ｙアドレス加算器５３およびＸアドレス加算器５４と、フレーム・メモリ５５と、そしてデータ書換回路５６とを備えている。詳細には、先ず始めに、フレーム・メモリ５５は、表示器３ＢのＨ軸およびＶ軸をもつ１０２４×７６８ドットの２次元表示領域ＤＳに対応して、１０２４×７６８個のアドレスから成るメモリ・アドレス空間ＡＳを定めている。フレーム・メモリ５５は、１０２４のＸ軸（またはＨ軸）アドレスのうちの１つを指定するためのＸアドレス入力と、７６８のＹ軸（またはＶ軸）アドレスのうちの１つを指定するためのＹアドレス入力と、このＸアドレスおよびＹアドレスの組によって指定されたアドレスにおけるデータの書き換えのためのデータ入出力と、そして表示器３Ｂへの読み出しのためのデータ出力とを有している。次に、Ｈ軸／Ｖ軸パラメータ生成回路５０は、例えばシリアル／パラレル変換器から構成でき、そしてこれは、入力端子１Ｂに接続した入力を有し、この入力で受けたシリアル・デジタルビデオ信号をシリアル形態から変換した後に、２つの出力のうちの一方にパラレル形態のビデオ・データを発生する。このビデオ・データが表す値がＹ軸のパラメータとして機能する。また、この回路５０は、他方の出力に、同期信号とクロックＣＬＫとを発生する。この同期信号の発生は、パラレルのビデオ・データに存在する一定のコード部分を検出したときに生ずる。したがって、この同期信号の発生からの経過時間が、Ｈ軸のパラメータとして機能する。
【００１９】
次に、Ｙアドレス発生器５１は、入力がＨ軸／Ｖ軸パラメータ生成回路５０の一方の出力に接続し、そしてこれから受けるビデオ・データから、フレーム・メモリ５５のアドレス空間ＡＳ内のＹ軸アドレスを指定するためのＹアドレス（０〜７６７）を出力に発生する。具体的には、ビデオ信号の黒レベルをアドレス０とし、黒レベルより高い値に対してはその値の大きさに比例した値のアドレスを生成する。一方、Ｘアドレス発生器５２は、入力が回路５０の他方の出力に接続し、そしてこの入力に受ける同期信号によりトリガされてアドレス空間ＡＳのＸ軸アドレスを指定するためのＸアドレス（０〜１０２３）を発生する。具体的には、同期信号の発生時点をアドレス０とし、そしてクロック毎にアドレスを増分させていき、そして１水平期間が終了するときにはアドレス１０２３となる。次に、Ｙアドレス加算器５３は、２つの入力のうちの一方がＹアドレス発生器５１の出力に接続し、そして発生器５１から受けるＹアドレスに対し他方の入力に受けるマッピング調整部７ＢからのＹアドレス変更量を加算し、そしてその加算結果である最終的なＹアドレスを出力に発生する。この出力は、フレーム・メモリ５５のＹアドレス入力に接続している。一方、Ｘアドレス加算器５４は、２つの入力のうちの一方がＸアドレス発生器５２の出力に接続し、そして発生器５２が発生するＸアドレスに対し他方の入力に受けるマッピング調整部７ＢからのＸアドレス変更量を加算し、そしてその加算結果である最終的なＸアドレスを出力に発生する。この出力は、フレーム・メモリ５５のＸアドレス入力に接続している。尚、加算器５３，５４の上記他方の入力におけるＹアドレス変更量およびＸアドレス変更量は、初期状態あるいは基準状態においては、それぞれ図２に示した２次元表示領域ＤＳのＹ軸基準位置に対応するＹアドレス基準値と、２次元表示領域ＤＳのＸ軸基準位置に対応するＸアドレス基準値とであり、具体的には、“４４”と“７４”である。このようなＹアドレスおよびＸアドレスをフレーム・メモリ５５が受けたとき、このフレーム・メモリに結合したデータ書換回路５６は、その指定されたアドレスからデータを読み取りそしてこのデータを一定値増分させてその結果を同じアドレスに書き戻すというデータ書き換えを行う。尚、このデータ書き換えには、限界値を設けており、アドレスの内容をその限界値以上には増加させない。このフレーム・メモリの内容は、次に読み出され表示器３Ｂに供給されることによって、アドレス空間ＡＳに対応する２次元表示領域ＤＳにおいて波形表示が行われる。
【００２０】
次に、マッピング調整部７Ｂは、図１の装置Ａと同様に、マッピング連続調整／リセット入力部７０Ｂと、マッピング変更量生成部７２Ｂとを備えている。詳細には、入力部７０Ｂは、表示波形のＨポジション調整のためのＨポジション（ＨＰＯＳ）つまみ／スイッチ７００と、Ｖポジション調整のためのＶポジション（ＶＰＯＳ）つまみ／スイッチ７０２とを備えている。Ｈポジションつまみ／スイッチ７００およびＶポジションつまみ／スイッチ７０２の各々は、位置の連続的な調整のためのロータリエンコーダ７０００又は７０２０と、そして位置リセットのためのリセット・スイッチ７００２又は７０２２の組を備えている。これら２組の調整入力部を備えることによって、ＨポジションとＶポジションを別個に調整することができる。詳しくは、各ロータリエンコーダは、このエンコーダに結合したつまみ（図４に示す）を回転させたときに、連続的にパルスを発生し、これによって、回転量に対応する数のパルスを発生して、表示波形の移動量を指示する。また、各リセット・スイッチは、通常はハイであるが、オンにされたときにローとなってリセットを示す信号、すなわち垂直表示位置または水平表示位置のリセット信号を発生する。
【００２１】
図４には、この波形表示装置Ｂであるモニタの操作パネルの正面図を示している。この図からも分かるように、各ポジション調整つまみ／スイッチ７００又は７０２は、ロータリエンコーダ７０００又は７０２０を操作するつまみ７００４又は７０２４と、リセット・スイッチ７００２又は７０２２を操作するために設けたスイッチ・ボタン７００６又は７０２６とを備えている。各スイッチ・ボタンは、対応するつまみと同軸にしかもこれに隣接して一体構造のものとして設けている。このように、スイッチ・ボタンは、つまみに隣接して設けているため、つまみで連続的なポジション調整を行っているときの手の位置とほぼ同じ手の位置で、スイッチ・ボタンを操作することができる。また、操作は、スイッチ・ボタンを押すという簡単なワンタッチ操作である。尚、図４に示した他のスイッチ等は、本発明には直接の関係はないため、説明は省略する。
【００２２】
次に、マッピング変更量生成部７２Ｂは、マイクロプロセッサＣＰＵ７２０と、Ｖポジション・レジスタ７２２とそしてＨポジション・レジスタ７２４とを備えている。ＣＰＵ７２０は、マッピング入力部７０ＢのＨポジションつまみ／スイッチ７００からの移動量出力とリセット出力の組と、Ｖポジションつまみ／スイッチ７０２からの移動量出力とリセット出力の組とを受けるための入力を有している。ＣＰＵ７２０は、これら受けた入力すなわち位置調整量に基づき、マッピング変更量としてのアドレス変更量、すなわちＸアドレス変更量とＹアドレス変更量を出力に生成する。次に、Ｖポジション・レジスタ７２２は、ＣＰＵ７２０の出力に入力が接続し、そしてＣＰＵから受けるＹアドレス変更量を記憶してその出力に発生する一方、Ｈポジション・レジスタ７２４は、ＣＰＵ７２０の出力に入力が接続し、そしてＣＰＵから受けるＸアドレス変更量を記憶しそしてその出力に発生する。これらレジスタ７２２，７２４の各出力は、対応するＹアドレス加算器５３、５４の入力にそれぞれ接続され、これによって、上述のようにＹアドレス発生器５１，Ｘアドレス発生器５２からのＸアドレス、Ｙアドレスに加算される。このように、表示位置の調整は、アドレス空間ＡＳ内の指定するアドレスを変更することによって行う。この変更されたアドレスにデータ書換回路５６によってデータ書き換えを行うことにより、波形の表示位置の変更を行うことができる。
【００２３】
次に、図５を参照して、ＣＰＵ７２０におけるマッピング変更量生成の動作フローについて説明する。この動作フローは、ステップ９０１で開始し、そしてステップ９０２，９０４において、Ｖポジション・レジスタ７２２およびＨポジション・レジスタ７２４にアドレス変更量の初期値をロードすることによって初期化する。すなわち、Ｖポジション・レジスタ７２２に、Ｙアドレス基準値“４４”をロードし、そしてＨポジション・レジスタ７２４に、Ｘアドレス基準値“７４”をロードする。これにより、図２に示したように、空間ＷＳの基準点Ｏｗは、２次元表示領域ＤＳの原点Ｏｄに位置することになる。図６（ａ）には、ビデオ信号の波形を、この初期化された状態、すなわち基準状態で表示した例を示している。この例から分かるように、時間０で電圧０の位置が原点に位置している。次に、ステップ９０６において、Ｈポジション（ＨＰＯＳ）つまみ７００４が操作されたか否かを、ロータリエンコーダ７０００からのパルスの発生の有無によって判定する。操作された場合、ステップ９０８で、その発生パルス数とその極性（右回転か左回転）に対応してアドレス変更量をリアルタイムで連続的に増減させ、そしてその間、連続的に増減しているアドレス変更量をＨＰＯＳレジスタ７２４にロードする。図６（ｂ）には、この動作結果の１例を示している。
【００２４】
ステップ９０８の後あるいはステップ９０６でＮＯの場合、次にステップ９１０でＶポジション（ＶＰＯＳ）つまみ７０２４が操作されたか否かを、ロータリエンコーダ７０２０からのパルスの発生の有無によって判定する。操作された場合、ステップ９１２で、その発生パルス数とその極性（右回転か左回転）に対応してアドレス変更量をリアルタイムで連続的に増減させ、そしてその間、連続的に増減しているアドレス変更量をＶＰＯＳレジスタ７２２にロードする。図６（ｃ）には、この動作結果の１例を示している。このステップ９１２の後またはステップ９１０でＮＯのとき、ステップ９１４に進み、ここで、ＨＰＯＳリセット・スイッチ７００２がＯＮにされたか否か判定し、そしてＹＥＳの場合、ステップ９１６で、ＨＰＯＳレジスタ７２４に対し、Ｘアドレス基準値である“７４”をロードする。これにより、Ｈポジションが基準状態にリセットされ、この結果として、例えば図６（ｂ）の表示位置にあったときには、このリセット操作により図６（ａ）の表示位置に瞬時に戻ることになる。尚、図６（ｃ）の表示位置にあったときには、この表示位置は、Ｈポジションは基準状態にあるため、ＨＰＯＳリセット・スイッチ７００２の操作によっては表示位置の変化はない。次に、このステップ９１６の後またはステップ９１４でＮＯの場合、ステップ９１８に進み、ここで、ＶＰＯＳリセット・スイッチ７０２２がＯＮにされたか否か判定し、そしてＹＥＳの場合、ステップ９２０で、ＶＰＯＳレジスタ７２２に対し、Ｙアドレス基準値である“４４”をロードする。これにより、Ｖポジションが基準状態にリセットされ、この結果として、例えば図６（ｃ）の表示位置にあったときには、このリセット操作により図６（ａ）の表示位置に瞬時に戻ることになる。尚、上記と同様に、図６（ｂ）の表示位置にあったときには、この表示位置は、Ｖポジションは基準状態にあるため、ＶＰＯＳリセット・スイッチ７０２２の操作によっては表示位置の変化はない。このように、連続調整に加えて、Ｖ軸またはＨ軸あるいはこれらの両方においてリセット機能を備えることにより、表示波形の種々の異なった部分を観測するために、拡大表示や縮小表示をさせると同時に波形の表示位置を変化させていた場合、元の表示縮尺に戻したときに、リセット機能によって瞬時に簡単な操作で元の表示位置に戻せるという利点が生じる。
【００２５】
以上に詳細に述べた本発明の実施形態においては、種々の変更が可能である。第１に、２次元波形値空間として、Ｘ軸が時間（Ｈ軸）でＹ軸が波形値（Ｖ軸）であるウェーブフォーム・モニタについて説明したが、Ｘ軸が１つの信号成分の大きさでＹ軸が他の信号成分の大きさとすること等も可能である。第２に、Ｘ軸およびＹ軸は、互いに直交しない軸とすることも可能である。第３に、表示の基準状態は、上記実施形態では、各軸のゼロの目盛り位置を基準位置として使用していたが、基準位置は、ゼロ以外の目盛り位置とすることも可能である。第４に、本発明は、デジタル・オシロスコープのような他の波形表示装置にも適用可能である。第５に、調整つまみとリセット・スイッチは、必ずしも一体構造とする必要はなく、互いに隣接配置されるのであれば、別体のものとすることもできる。
【００２６】
【発明の効果】
以上に述べた本発明によれば、波形の表示位置のリセットは、ほとんど指の動きのみで、手全体の移動は少ないかほとんど不要となる。また、これにより、簡単なワンタッチ操作で、誤操作少なく容易に、しかも基準位置へ迅速に戻すことが可能となる。さらに、表示波形の位置調整全体としての操作性も向上する。さらには、波形表示装置における波形観測が、より簡単、容易、迅速に行えることとなる。
【図面の簡単な説明】
【図１】図１は、本発明を組み込んだ波形表示装置の１実施形態を示すブロック図。
【図２】図２は、図１または図３の波形表示装置における、波形入力信号から得られる２次元波形値空間ＷＳと、この空間をマッピングする表示器のスクリーンが提供する２次元表示領域ＤＳとの関係を示す図。
【図３】図３は、図１の波形表示装置Ａをより具体化した実施形態である波形表示装置Ｂを示すブロック図。
【図４】図４は、図３の波形表示装置Ｂの操作パネルを示す正面図。
【図５】図５は、図４に示したＣＰＵが実行するマッピング変更量生成の動作フローを示すフローチャート。
【図６】図６は、ビデオ信号の波形について、初期化された基準状態で表示した例（ａ）、Ｈポジションを変化させたときの表示例（ｂ）、Ｖポジションを変化させたときの表示例（ｃ）を示す。
【符号の説明】
Ａ，Ｂ  波形表示装置
１，１Ｂ  入力端子
３，３Ｂ  表示器
５．５Ｂ  マッピング部
７，７Ｂ  マッピング調整部
３０，３０Ｂ  スクリーン
７０，７０Ｂ  マッピング調整入力部
７２，７２Ｂ  マッピング調整量生成部
ＷＳ  ２次元波形値空間
ＤＳ  ２次元表示領域
ＡＳ  メモリ・アドレス空間
Ｏｗ  空間ＷＳの基準点
Ｏｄ  原点Ｏｄ
ＤＰ０，ＤＰ１  表示位置
７００  Ｈポジションつまみ／スイッチ
７０２  Ｖポジションつまみ／スイッチ
７００２  ＨＰＯＳリセット・スイッチ
７００４  ＨＰＯＳつまみ
７００６  リセット・ボタン
７０２２  ＶＰＯＳリセット・スイッチ
７０２４  ＶＰＯＳつまみ
７０２６  リセット・ボタン
【図１】
0004064129.tif 000002
【図２】
0004064129.tif 000003
【図３】
0004064129.tif 000004
【図４】
0004064129.tif 000005
【図５】
0004064129.tif 000006
【図６】
0004064129.tif 000007